(57)【特許請求の範囲】
【請求項１】
居室空間と非居室空間とを仕切る仕切部に、前記居室空間と前記非居室空間との間の通気を可能にする通気部が設けられた建物に適用され、
開状態にある場合に前記通気部の通気を許可し、閉状態にある場合に前記通気部の通気を遮断する開閉体と、
前記開閉体が前記居室空間と前記非居室空間との間の圧力差に応じて開閉するように、当該開閉体を回動可能に支持している回動軸部と、
を備え、
前記開閉体は、前記居室空間が前記非居室空間に対して正圧にならない場合に、当該開閉体の自重により前記回動軸部から下方に延びていることで前記閉状態にあり、前記居室空間が前記非居室空間に対して正圧になる場合に、前記居室空間の空気に押されて前記非居室空間側に向けて回動することで前記開状態に移行するものであり、
前記通気部として、前記仕切部の上部に配置されている第１通気部を備え、
前記開閉体として、前記第１通気部に対して設けられた第１開閉体を備え、
前記第１開閉体は、前記開状態にある場合に、前記非居室空間の天井部に取り付けられた照明器具から前記第１通気部への光を遮る範囲で、前記非居室空間側に向けて回動可能であることを特徴とする建物の通気構造。
【請求項２】
前記閉状態にある前記開閉体が前記非居室空間の空気に押されて前記居室空間側に向けて回動することを規制する回動規制部を備えていることを特徴とする請求項１に記載の建物の通気構造。
【請求項３】
前記通気部の周縁部に沿って延びた枠体を備え、
前記枠体は、上下方向に延びた一対の縦枠部と、これら縦枠部の各下端部を連結している下枠部とを有しており、
前記回動規制部は、前記一対の縦枠部に掛け渡された状態で前記下枠部から上方に向けて延びた延出部であり、
前記開閉体は、前記閉状態にある場合に、前記回動規制部の前記非居室空間側の側面に重なっていることを特徴とする請求項２に記載の建物の通気構造。
【請求項４】
前記回動規制部は、
当該回動規制部の前記非居室空間側の板面を形成し、前記開閉体が前記開状態から前記閉状態に移行することで同回動規制部に接触した際の衝撃を緩和する緩衝部材を有していることを特徴とする請求項３に記載の建物の通気構造。
【請求項５】
前記居室空間に空気を供給する空気供給部と、前記非居室空間から空気を取り込む空気取込部とを備えた建物に適用され、
前記開閉体は、前記空気供給部から前記居室空間への空気の供給及び前記非居室空間から前記空気取込部への空気の取り込みの両方が行われている場合に前記開状態に移行するように、且つ前記空気供給部からの空気の供給及び前記空気取込部への空気の取り込みがいずれも行われていない場合に前記閉状態に移行しないように設けられたものであることを特徴とする請求項１乃至４のいずれか１項に記載の建物の通気構造。
【請求項６】
前記空気供給部が床部に設けられた第１居室空間と、前記空気取込部が床部に設けられた第１非居室空間とを仕切る前記仕切部としての第１仕切部に、前記第１通気部が設けられた建物に適用され、
前記第１通気部は、前記第１居室空間及び前記第１非居室空間の各天井部寄りの位置になるように、前記仕切部の上部に配置されていることを特徴とする請求項５に記載の建物の通気構造。
【請求項７】
前記空気供給部が天井部に設けられた第２居室空間と、前記空気取込部が天井部に設けられた第２非居室空間とを仕切る前記仕切部としての第２仕切部に、前記通気部としての第２通気部が設けられた建物に適用され、
前記第２通気部は、前記第２居室空間及び前記第２非居室空間の各床部寄りの位置になるように、前記仕切部の下部に配置されていることを特徴とする請求項５又は６に記載の建物の通気構造。
【発明の詳細な説明】
【技術分野】
【０００１】
本発明は、建物の通気構造に関するものである。
【背景技術】
【０００２】
住宅等の建物は、リビングや寝室等の居室空間と、廊下等の非居室空間とを有しており、これら居室空間と非居室空間とは、間仕切壁や扉体等の仕切部により仕切られている。仕切部に通気部が設けられている場合、その通気部を通じて居室空間と非居室空間との間で通気が行われることになる。通気部として、扉体と床部との間にアンダーカットが形成された構成では、そのアンダーカットを通じて居室空間と非居室空間との間で通気が行われる（例えば特許文献１参照）。
【先行技術文献】
【特許文献】
【０００３】
【特許文献１】特開２０１０−１９６９９７号公報
【発明の概要】
【発明が解決しようとする課題】
【０００４】
しかしながら、アンダーカットを通じて通気が行われる構成では、居室空間に空調空気や外気が供給されることに伴って、居室空間からアンダーカットを通じて非居室空間に空気が流れ込む一方で、居室空間への空調空気や外気の供給が停止された場合には、今度は逆に非居室空間からアンダーカットを通じて居室空間に空気が流れ込む可能性がある。この場合、空気と共に埃や匂いがアンダーカットを通じて非居室空間から居室空間に流れ込むことで、居室空間の空気環境が低下することが懸念される。また、便器の洗浄音など騒音になり得る音が発生した場合、その音がアンダーカットを通じて居室空間に伝わることで、居室空間の音環境が低下することが懸念される。
【０００５】
本発明は、上記事情に鑑みてなされたものであり、居室空間と非居室空間との間で通気が行われる建物において居室空間の環境を好適に保つことを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００７】
第１の発明の建物の通気構造は、居室空間（居室３５，４１）と非居室空間（廊下３６，４２）とを仕切る仕切部（第１壁部３２ａ、第２開き戸４５）に、前記居室空間と前記非居室空間との間の通気を可能にする通気部（通気孔５６，６６）が設けられた建物（建物１０）に適用され、開状態にある場合に前記通気部の通気を許可し、閉状態にある場合に前記通気部の通気を遮断する開閉体（開閉体７２）と、前記開閉体が前記居室空間と前記非居室空間との間の圧力差に応じて開閉するように、当該開閉体を回動可能に支持している回動軸部（回動軸部７３）と、を備え、前記開閉体は、前記居室空間が前記非居室空間に対して正圧になる場合に前記開状態に移行するように、且つ前記居室空間が前記非居室空間に対して正圧にならない場合には前記開状態に移行しないように設けられたものであることを特徴とする。
【０００８】
第１の発明によれば、居室空間に空調空気や外気が供給されている場合など居室空間が非居室空間に対して正圧になる場合には、居室空間から通気部を通じて非居室空間に空気が流れ出るため、居室空間の空調や換気を適正に行うことができるとともに、廊下の空調や換気も行うことが可能になっている。
【０００９】
一方で、居室空間への空調空気や外気の供給が行われていない場合など居室空間が非居室空間に対して正圧にならない場合には、開閉体が閉状態に移行することで、通気部を通じては非居室空間から居室空間に空気が流れ込まないため、通気部から埃や匂いが居室空間に流れ込むということを抑制できる。これにより、居室空間の空調や換気が行われていない場合でも、その居室空間の空気環境を好適に保つことができる。また、この場合、居室空間の外側にて騒音が発生したとしても、その騒音の伝達が開閉体により規制されるため、騒音が通気部を通じて居室空間に伝わるということを抑制できる。これにより、居室空間の空調や換気が行われていない場合に、その居室空間の音環境を好適に保つことができる。
【００１０】
以上のように、居室空間と非居室空間との間で通気が行われる建物において、居室空間の環境を好適に保つことができる。
【００１１】
第２の発明では、第１の発明において、前記開閉体は、前記居室空間が前記非居室空間に対して正圧にならない場合に、当該開閉体の自重により前記回動軸部から下方に延びていることで前記閉状態にあり、前記居室空間が前記非居室空間に対して正圧になる場合に、前記居室空間の空気に押されて前記非居室空間側に向けて回動することで前記開状態に移行するものである。
【００１２】
第２の発明によれば、居室空間に空調空気や外気が供給されていない場合には、開閉体をその自重を利用して閉状態にて保持することができる。一方、居室空間に空調空気や外気が供給されている場合には、居室空間への給気による圧力を利用して開閉体を開状態に移行させることができる。これにより、モータ等の駆動部やバネ等の付勢部材を使用しなくても、非居室空間に対する居室空間の相対的な圧力に応じて開閉体が開閉する構成を実現できる。
【００１３】
第３の発明では、第２の発明において、前記通気部は、前記仕切部の上部に配置されており、前記開閉体は、前記開状態にある場合に、前記非居室空間の天井部（天井部１４ａ）に取り付けられた照明器具（照明器具９１）から前記通気部への光を遮る範囲で、前記非居室空間側に向けて回動可能である。
【００１４】
通気部が仕切部の上部に配置された構成では、開閉体が開状態になっている場合に、非居室空間の天井付きの照明器具からの光が通気部を通じて居室空間に入り込むことが懸念される。これに対して、第３の発明によれば、開閉体が開状態になっている場合でも、非居室空間の天井付きの照明器具からの光が開閉体により遮られるため、その光が通気部を通じて居室空間に入り込むことを抑制できる。このため、就寝時間体など居室空間にて照明器具を点灯させていない時間帯において、居室空間に空調空気や外気が供給されていたとしても、居室空間の光環境を好適に保つことができる。
【００１５】
第４の発明では、第２又は第３の発明において、前記閉状態にある前記開閉体が前記非居室空間の空気に押されて前記居室空間側に向けて回動することを規制する回動規制部（回動規制部８６）を備えている。
【００１６】
開閉体が居室空間の空気に押されて非居室空間側に開くという構成では、開閉体が非居室空間の空気に押された場合に居室空間側に開いてしまうことが懸念される。これに対して、第４の発明によれば、開閉体が居室空間側に開くことが回動規制部により規制されるため、居室空間が非居室空間に対して負圧になった場合に開閉体が開状態に移行しない構成を実現できる。
【００１７】
第５の発明では、第４の発明において、前記通気部の周縁部に沿って延びた枠体（通気枠体７５）を備え、前記枠体は、上下方向に延びた一対の縦枠部（縦枠部８１）と、これら縦枠部の各下端部を連結している下枠部（下枠部８３）とを有しており、前記回動規制部は、前記一対の縦枠部に掛け渡された状態で前記下枠部から上方に向けて延びた延出部であり、前記開閉体は、前記閉状態にある場合に、前記回動規制部の前記非居室空間側の側面に重なっている。
【００１８】
第５の発明によれば、開閉体が閉状態にある場合に、その開閉体と回動規制部との間の隙間が、居室空間と非居室空間との並び方向に交差した方向に延びていることになるため、開閉体と回動規制部との間の隙間を通じて通気が行われることを抑制できる。これにより、開閉体が閉状態にある場合の通気遮断性を回動規制部を利用して高めることができる。
【００１９】
また、非居室空間に天井付きの照明器具などが設けられた構成では、非居室空間の光が通気部を通じて居室空間に入り込むことが懸念される。これに対して、本発明によれば、開閉体が閉状態にある場合には、その開閉体と回動規制部との並び方向が光の進行方向になるため、通気部を通じて居室空間に光が入り込むことを開閉体及び回動規制部により抑制できる。
【００２０】
第６の発明では、第５の発明において、前記回動規制部は、当該回動規制部の前記非居室空間側の板面を形成し、前記開閉体が前記開状態から前記閉状態に移行することで同回動規制部に接触した際の衝撃を緩和する緩衝部材（緩衝部材８６ａ）を有している。
【００２１】
第６の発明によれば、開閉体は、開状態から閉状態に移行した場合に回動規制部の緩衝部材に引っ掛かるため、開閉体と回動規制部との接触音の発生を抑制できる。しかも、緩衝部材が弾性変形することで衝撃を緩和するものであれば、開閉体が閉状態にある場合に、その開閉体と緩衝部材との間に隙間が形成されにくくなる。これにより、開閉体が閉状態にある場合の遮音性を回動規制部を利用して高めることができる。
【００２２】
第７の発明では、第１乃至第６のいずれかの発明において、前記居室空間に空気を供給する空気供給部（給気部５２，６２）と、前記非居室空間から空気を取り込む空気取込部（還気部５４，６４）とを備えた建物に適用され、前記開閉体は、前記空気供給部から前記居室空間への空気の供給及び前記非居室空間から前記空気取込部への空気の取り込みの両方が行われている場合に前記開状態に移行するように、且つ前記空気供給部からの空気の供給及び前記空気取込部への空気の取り込みがいずれも行われていない場合に前記閉状態に移行しないように設けられたものである。
【００２３】
空調システムや換気システムが構築された建物においては、空気供給部から居室空間に空調空気や外気が供給され、且つ非居室空間から空気取込部に空気が取り込まれた場合に、居室空間から通気部を通じて非居室空間に空気が流れ出ることで、これら居室空間及び非居室空間の空調や換気をまとめて行うことが可能になっている。さらに、これら空調システムや換気システムに第７の発明を適用することで、空調システムや換気システムによる空調や換気が停止されている場合について、居室空間の空気環境や音環境を好適に保つことができる。
【００２４】
第８の発明では、第７の発明において、前記空気供給部が床部（床部１４ｂ）に設けられた第１居室空間（一階居室３５）と、前記空気取込部が床部（床部１４ｂ）に設けられた第１非居室空間（一階廊下３６）とを仕切る前記仕切部としての第１仕切部（第１壁部３２ａ）に、前記通気部としての第１通気部（第１通気孔５６）が設けられた建物に適用され、前記第１通気部は、前記第１居室空間及び前記第１非居室空間の各天井部寄りの位置になるように、前記仕切部の上部に配置されている。
【００２５】
第８の発明によれば、空気供給部及び空気取込部と第１通気部とが上下に離間した位置に配置されているため、空気供給部から供給された空調空気や外気を第１居室空間の全体に拡散させることができるとともに、第１通気部から流れ出た空気を第１非居室空間の全体に拡散させることができる。これにより、第１居室空間及び第１非居室空間の空調効率や換気効率を高めることができる。
【００２６】
ここで、第１非居室空間に天井付きの照明器具が取り付けられた構成では、その照明器具の光が第１通気部を通じて第１居室空間に射し込むことが懸念される。これに対して、本発明によれば、第１居室空間及び第１非居室空間の空調や換気が行われていない場合など、第１居室空間が第１非居室空間に対して正圧になっていない場合には、開閉体が閉状態に保持されるため、第１非居室空間の光が第１通気部を通じて第１居室空間に意図せずに侵入するということを抑制できる。これにより、第１居室空間での光環境を好適に保つことができる。
【００２７】
第９の発明では、第７又は第８の発明において、前記空気供給部が天井部（天井部１５ａ）に設けられた第２居室空間（二階居室４１）と、前記空気取込部が天井部（天井部１５ａ）に設けられた第２非居室空間（二階廊下４２）とを仕切る前記仕切部としての第２仕切部（第２開き戸４５）に、前記通気部としての第２通気部（第２通気孔６６）が設けられた建物に適用され、前記第２通気部は、前記第２居室空間及び前記第２非居室空間の各床部寄りの位置になるように、前記仕切部の下部に配置されている。
【００２８】
第９の発明によれば、空気供給部及び空気取込部と第２通気部とが上下に離間した位置に配置されているため、空気供給部から供給された空調空気や外気を第２居室空間の全体に拡散させることができるとともに、第２通気部から流れ出た空気を第２非居室空間の全体に拡散させることができる。これにより、第２居室空間及び第２非居室空間の空調効率や換気効率を高めることができる。
【００２９】
ここで、第２通気部が第２非居室空間の床面近くに配置された構成では、その床面の上に溜まった埃等が第２通気部を通じて第２居室空間に侵入することが懸念される。これに対して、本発明によれば、第２居室空間及び第２非居室空間の空調や換気が行われていない場合など、第２居室空間が第２非居室空間に対して正圧になっていない場合には、開閉体が閉状態に保持されるため、第２非居室空間の床面の上に溜まった埃等が第２通気部を通じて第２居室空間に侵入するということを抑制できる。これにより、第２居室空間での空気環境を好適に保つことができる。
【図面の簡単な説明】
【００３０】
【図１】全館空調システムの構成を示す建物の概略縦断面図
【図２】通気ユニットの縦断面図
【図３】通気ユニットの分解斜視図
【図４】第１壁部を一階居室側から見た正面図
【図５】第２壁部を二階居室側から見た正面図
【図６】建物の概略図
【図７】建物ユニットの構成を示す斜視図
【発明を実施するための形態】
【００３１】
以下、本発明を具体化した一実施形態について図面を参照しつつ説明する。本実施形態では、本発明の建物を鉄骨ラーメン構造を有する二階建てユニット式建物として具体化している。まず、ユニット式建物について、図６、図７を参照しつつ説明する。図６は建物１０の概略図、図７は建物ユニット２０の構成を示す斜視図である。
【００３２】
図６に示すように、住宅等の建物１０は、基礎１１の上に設けられた建物本体１２と、建物本体１２の上に設けられた屋根１３とを有している。建物本体１２は、一階部分１４及び二階部分１５を有しており、一階部分１４が下階部に相当し、二階部分１５が上階部に相当する。屋根１３は、陸屋根（フラットルーフ）になっている。なお、屋根１３は、切妻屋根等の傾斜屋根とされていてもよい。
【００３３】
建物本体１２は、直方体状の建物ユニット２０が複数組み合わされることで構築されている。一階部分１４及び二階部分１５は、横並びに配置された複数の建物ユニット２０を有しており、一階部分１４の建物ユニット２０と二階部分１５の建物ユニット２０とは上下に重ねて配置されている。建物ユニット２０は、ユニット製造工場等の工場にて製造され、その後、トラック等により建築現場に運搬される。
【００３４】
図７に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（ユニット躯体）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３５】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５によって天井面材２８が支持され、床小梁２６によって床面材２９が支持されている。
【００３６】
建物１０においては、複数の居住空間の空調をまとめて行う全館空調システムが構築されている。ここでは、全館空調システムについて図１を参照しつつ説明する。図１は全館空調システムの構成を示す建物の概略縦断面図である。なお、図１においては、床下空間４６の床大梁２３及び屋根裏空間４７の天井大梁２２の図示を省略している。
【００３７】
図１に示すように、建物本体１２は、屋内空間を屋外に対して区画している外壁３１と、屋内空間を複数の居住空間に仕切っている間仕切壁３２とを有している。一階部分１４は、リビングや和室等の一階居室３５と、その一階居室３５に隣り合う一階廊下３６と、倉庫等の一階機械室３７とを有している。間仕切壁３２は、一階居室３５と一階廊下３６とを仕切る第１壁部３２ａを有しており、第１壁部３２ａには、一階居室３５と一階廊下３６とを連通する第１出入口３８が設けられており、この第１出入口３８は、扉体としての第１開き戸３９により開閉されるようになっている。第１開き戸３９は、第１出入口３８に対して設けられた第１枠体３９ａにより支持されている。
【００３８】
二階部分１５は、寝室や子供部屋等の二階居室４１と、その二階居室４１に隣り合う二階廊下４２と、倉庫等の二階機械室４３とを有している。間仕切壁３２は、二階居室４１と二階廊下４２とを仕切る第２壁部３２ｂを有しており、第２壁部３２ｂには、二階居室４１と二階廊下４２とを連通する第２出入口４４が設けられており、この第２出入口４４は、扉体としての第２開き戸４５により開閉されるようになっている。第２開き戸４５は、第２出入口４４に対して設けられた第２枠体４５ａにより支持されている。
【００３９】
なお、居室３５，４１が居室空間に相当し、廊下３６，４２が非居室空間に相当する。また、一階居室３５が第１居室空間に相当し、一階廊下３６が第１非居室空間に相当し、二階居室４１が第２居室空間に相当し、二階廊下４２が第２非居室空間に相当する。ちなみに、住人等が継続的に使用するのに適した居室３５，４１等の居住空間を居室空間と称することができ、住人等が一時的に使用することの多い廊下３６，４２等の居住空間を非居室空間と称することができる。
【００４０】
建物１０は、一階部分１４の下方に形成された床下空間４６と、二階部分１５と屋根１３との間に形成された屋根裏空間４７とを有している。ここで、一階部分１４及び二階部分１５は、それぞれ天井部１４ａ，１５ａ及び床部１４ｂ，１５ｂを有している。この場合、一階部分１４の床部１４ｂが、一階部分１４の屋内空間（一階居室３５等）と床下空間４６とを上下に仕切っており、二階部分１５の天井部１５ａが、二階部分１５の屋内空間（二階居室４１等）と屋根裏空間４７とを上下に仕切っている。
【００４１】
天井部１４ａ，１５ａは、天井大梁２２や天井小梁２５に取り付けられた野縁等の天井下地と、この天井下地に取り付けられた石膏ボード等の天井面材とを有しており、天井下地は、天井大梁２２や天井小梁２５の下側に設けられ、天井面材は、天井下地の下側に設けられている。床部１４ｂ，１５ｂは、床大梁２３や床小梁２６に取り付けられた根太等の床下地と、この床下地に取り付けられてフローリング材等の床面材とを有しており、床下地材は、床大梁２３や床小梁２６の上側に設けられ、床面材は、床下地の上側に設けられている。
【００４２】
建物本体１２は、一階部分１４の屋内空間と二階部分１５の屋内空間とを上下に仕切っている階間部分４８を有している。階間部分４８は、一階部分１４の天井部１４ａと二階部分１５の床部１５ｂとを含んで構成されており、これら天井部１４ａと床部１５ｂとの間には階間空間が形成されている。この階間空間においては、一階部分１４の建物ユニット２０の天井大梁２２と、二階部分１５の建物ユニット２０の床大梁２３とが上下に並んでおり、これら大梁２２，２３が階間空間を左右に仕切った状態になっている。
【００４３】
一方、床下空間４６及び屋根裏空間４７は、天井大梁２２や床大梁２３により左右に仕切られた状態にはなっていない。まず、床下空間４６について説明する。基礎１１は、上方に向けて立ち上がった立ち上がり部１１ａを有しており、その立ち上がり部１１ａの上に一階部分１４の建物ユニット２０が設置されている。立ち上がり部１１ａは、外壁３１の下端部に沿って延びており、床下空間４６の周囲は立ち上がり部１１ａにより囲まれている。この場合、床下空間４６は、床大梁２３よりも下方に延びた空間になっており、床大梁２３により左右に仕切られた状態にはならない。
【００４４】
ここで、一階部分１４の建物ユニット２０は、その柱２１が立ち上がり部１１ａの上に立設されていることで、その立ち上がり部１１ａにより下方から支持されるものであり、床大梁２３の下方には必ずしも立ち上がり部１１ａが配置されていなくてもよい。このため、床下空間４６の中間位置においては、柱２１の位置に合わせて立ち上がり部１１ａが点在しており、床下空間４６は、立ち上がり部１１ａにより左右に仕切られるということもない。
【００４５】
次に、屋根裏空間４７について説明する。屋根１３は、二階部分１５の建物ユニット２０よりも高い位置に配置され、この建物ユニット２０の天井大梁２２等に固定された束材や支持ブラケット等の屋根構造体により支持されている。この場合、屋根裏空間４７は、天井大梁２２よりも上方に延びた空間になっており、天井大梁２２により左右に仕切られた状態にはならない。また、屋根構造体においては、束材などの縦材が屋根を支持しており、この縦材が屋根裏空間４７の中間位置に配置されていたとしても、この縦材により屋根裏空間４７が左右に仕切られた状態にはならない。
【００４６】
全館空調システムは、空調空気を生成する室内機等の空調装置５１，６１と、空調装置５１，６１にて生成された空調空気を居室３５，４１に供給する給気部５２，６２と、空調空気を空調装置５１，６１から給気部５２，６２に送る給気ダクト５３，６３と、廊下３６，４２の空気を還気として取り込む還気部５４，６４と、この還気部５４，６４から取り込んだ還気を空調装置５１，６１に送る還気ダクト５５，６５と、居室３５，４１と廊下３６，４２とを通気可能に連通している通気孔５６，６６とを有している。
【００４７】
空調装置５１，６１は、取り込んだ還気の冷却や加熱を行うことで冷気や暖気といった空調空気を生成する生成部と、空調空気を給気部５２，６２に向けて送り出すための給気ファンと、還気部５４，６４から還気を取り込むための還気ファンとを有している。全館空調システムは、ホームサーバ等のコントローラを有しており、このコントローラは、空調装置５１，６１の動作制御を個別に行うことが可能になっている。コントローラは、冷房や暖房といった空調を行う場合に、給気部５２，６２からの空調空気の供給に合わせて還気部５４，６４からの還気の取り込みが行われるように、生成部や給気ファン、還気ファンを動作させる。
【００４８】
給気ダクト５３，６３及び還気ダクト５５，６５は、いずれも空調用ダクトにより形成されており、給気ダクト５３，６３は、空調装置５１，６１と給気部５２，６２とを接続している一方で、還気ダクト５５，６５は、空調装置５１，６１と還気部５４，６４とを接続している。給気部５２，６２及び還気部５４，６４は、給気ダクト５３，６３及び還気ダクト５５，６５の端部を覆い隠すカバー部材としての空調グリルである。
【００４９】
本実施形態の全館空調システムにおいては、給気部５２，６２から居室３５，４１に空調空気が供給されるとともに、一階廊下３６から一階還気部５４に還気が取り込まれた場合、居室３５，４１が廊下３６，４２に対して正圧になることに伴って、居室３５，４１から通気孔５６，６６を通じて廊下３６，４２に空気が流れ出る。この場合、空調空気が直接的に供給される居室３５，４１について空調が行われることはもちろんのこと、空調空気が居室３５，４１を介して間接的に供給される廊下３６，４２についても空調が行われる。
【００５０】
本実施形態では、階ごとに給気部５２，６２、還気部５４，６４及び通気孔５６，６６の設置位置が異なっている。なお、一階空調装置５１は一階機械室３７に設置され、二階空調装置６１は二階機械室４３に設置されている。
【００５１】
一階部分１４においては、一階給気部５２及び一階還気部５４がいずれも床部１４ｂに設けられている一方で、第１通気孔５６が天井部１４ａ付近に設けられている。この構成では、一階居室３５及び一階廊下３６のそれぞれにおいて床部１４ｂ付近での空気のショートサーキットが生じにくくなっている。この場合、一階給気部５２から供給された空調空気が一階居室３５の全体に行き渡るように拡散しやすくなっているとともに、第１通気孔５６から流れ出た空気が一階廊下３６の全体に行き渡るように拡散しやすくなっており、一階居室３５及び一階廊下３６のそれぞれについて空調効率が向上することになる。
【００５２】
また、一階部分１４については、一階給気ダクト５３及び一階還気ダクト５５が床下空間４６に設置されている。床下空間４６においては、これらダクト５３，５５を床大梁２３の下側に敷設することが可能であるため、床大梁２３にダクト５３，５５を挿通させるための挿通孔を形成する必要がない。
【００５３】
二階部分１５においては、二階給気部６２及び二階還気部６４がいずれも天井部１５ａに設けられている一方で、第２通気孔６６が床部１５ｂ付近に設けられている。この構成では、二階居室４１及び二階廊下４２のそれぞれにおいて天井部１５ａ付近での空気のショートサーキットが生じにくくなっている。この場合、二階給気部６２から供給された空調空気が二階居室４１の全体に行き渡るように拡散しやすくなっているとともに、第２通気孔６６から流れ出た空気が二階廊下４２の全体に行き渡るように拡散しやすくなっており、二階居室４１及び二階廊下４２のそれぞれについて空調効率が向上することになる。
【００５４】
また、二階部分１５については、二階給気ダクト６３及び二階還気ダクト６５が屋根裏空間４７に設置されている。屋根裏空間４７においては、これらダクト６３，６５を天井大梁２２の上側に敷設することが可能であるため、天井大梁２２にダクト６３，６５を挿通させるための挿通孔を形成する必要がない。
【００５５】
ちなみに、例えばダクト５３，５５，６３，６５を階間部分４８の階間空間に敷設することを想定すると、一階部分１４の天井大梁２２や二階部分１５の床大梁２３にダクト５３，５５，６３，６５を挿通させるための挿通孔を形成する必要が生じてしまう。この場合、天井大梁２２や床大梁２３に挿通孔を形成する手間やコストがかかる上に、これら天井大梁２２や床大梁２３の構造強度が低下する可能性も生じてしまう。
【００５６】
第１通気孔５６及び第２通気孔６６に対しては、これら通気孔５６，６６の通気量を調整可能な通気ユニット７１がそれぞれ設けられている。この通気ユニット７１の構成について、図２〜図４を参照しつつ説明する。図２は通気ユニット７１の縦断面図、図３は通気ユニット７１の分解斜視図、図４は第１壁部３２ａを一階居室３５側から見た正面図、図５は第２壁部３２ｂを二階居室４１側から見た正面図である。
【００５７】
図２、図３に示すように、通気ユニット７１は、回動することで通気孔５６，６６を開閉する開閉体７２と、開閉体７２を回動可能に支持している回動軸部７３と、開閉体７２の開放角度を調整するためのカウンターウェイト７４と、回動軸部７３を支持している通気枠体７５とを有している。
【００５８】
開閉体７２は、合成樹脂材料等により形成され、通気遮断性及び遮光性を有する板材とされている。開閉体７２は、その上端部が回動軸部７３により軸支されており、回動することで開状態と閉状態とに移行可能になっている。回動軸部７３は、その軸線が開閉体７２の幅方向に延びた状態で、開閉体７２の上側に配置されており、その開閉体７２の上端部に固定されている。開閉体７２は、その自重により回動軸部７３から下方に延びている場合に閉状態になっており、この閉状態では通気孔５６，６６の通気を遮断している。また、その自重に抗して回動することで開状態に移行し、この開状態では通気孔５６，６６の通気を許可している。
【００５９】
カウンターウェイト７４は、回動軸部７３を挟んで開閉体７２とは反対側に配置されている。カウンターウェイト７４は、金属材料により形成された重り部材であり、回動軸部７３を介して開閉体７２に固定されている。カウンターウェイト７４においては、その重量が開閉体７２と同じにされている一方で、回動軸部７３からの延出寸法は開閉体７２よりも小さくされている。カウンターウェイト７４は、開閉体７２がその自重に抗して回動する際に、その回動角度を大きくなり過ぎたり小さくなり過ぎたりしないように適正な大きさに保つ機能を有している。
【００６０】
通気枠体７５は、上下方向に延びた一対の縦枠部８１と、これら縦枠部８１の各上端部を連結した上枠部８２と、各下端部を連結した下枠部８３とを有しており、全体として矩形枠状に形成されている。回動軸部７３は、一対の縦枠部８１に掛け渡された状態で、それら縦枠部８１により支持されている。各縦枠部８１には、回動軸部７３が引っ掛けられた引っ掛け部８４が設けられている。引っ掛け部８４は、通気枠体７５の厚み方向において一側端から内側に向けて凹んだ切欠部であり、この切欠部は、縦枠部８１の一側端から厚み方向に延びた横部分と、その横部分から下方に延びた縦部分とを有し、全体としてＬ字状に形成されている。回動軸部７３は、引っ掛け部８４の縦部分の底面に引っ掛かった状態になっている。
【００６１】
通気枠体７５は、開閉体７２の回動を規制する回動規制部８６を有している。回動規制部８６は、下枠部８３から上方に向けて延びた板状の延出部であり、開閉体７２の下端部（回動先端部）の移動軌跡に重なる位置に配置されている。開閉体７２は、閉状態にある場合に回動規制部８６の一方の板面に重なった状態になっており、それによって、回動規制部８６から離間する向きに回動することで開状態に移行することが可能になっている一方で、回動規制部８６側に回動することができないようになっている。
【００６２】
回動規制部８６は、一対の縦枠部８１に掛け渡された状態で設けられている。このため、開閉体７２が閉状態にある場合には、回動規制部８６の一方の板面のほぼ全体に開閉体７２が重なった状態になっている。また、回動規制部８６は、開閉体７２との接触の衝撃を緩和する緩衝部材８６ａを有している。緩衝部材８６ａは、ゴムや合成樹脂材料により弾性変形可能に形成された板材であり、開閉体７２の板面に密着しやすくなっている。このため、開閉体７２が閉状態にある場合に、開閉体７２と回動規制部８６との間の隙間を通じた通気が行われにくくなっている。
【００６３】
通気枠体７５は、カウンターウェイト７４を収納する収納部８７を有している。収納部８７は、上枠部８２が上方に向けて凹んだ凹部により形成されている。収納部８７は、通気枠体７５の厚み方向において、開閉体７２の下端部が移動する向きとは反対側に向けて開放されている。この場合、上枠部８２から下方に向けて突出した凸部８８が、通気枠体７５の厚み方向において収納部８７に横並びに配置されている。凸部８８は、その凸部８８側から通気枠体７５が見られた場合に、カウンターウェイト７４を覆い隠した状態になっている。
【００６４】
通気ユニット７１は、一階部分１４及び二階部分１５のそれぞれにおいて、開閉体７２が廊下３６，４２側に開く向きで設置されている。この場合、通気ユニット７１は、開閉体７２が開状態に移行することで居室３５，４１から廊下３６，４２への空気の流出を許可し、開閉体７２が開状態に移行しないことで廊下３６，４２から居室３５，４１への空気の流入を規制することになる。
【００６５】
例えば、居室３５，４１と廊下３６，４２とで圧力差が生じていない場合には、開閉体７２が閉状態にて保持される。また、居室３５，４１が廊下３６，４２に対して負圧になっている場合には、開閉体７２が廊下３６，４２の空気により居室３５，４１側に向けて押されることになるが、回動規制部８６により開閉体７２が閉状態にて保持される。このため、通気孔５６，６６を通じては廊下３６，４２から居室３５，４１に空気が流れ込まない。
【００６６】
給気部５２，６２からの空調空気の供給及び還気部５４，６４からの還気の取り込みが行われている場合など、居室３５，４１が廊下３６，４２に対して正圧になっている場合には、開閉体７２が居室３５，４１の空気により廊下３６，４２側に向けて押されて開状態に移行する。このため、居室３５，４１から通気孔５６，６６を通じて廊下３６，４２に空気が流れ込むことになる。
【００６７】
通気ユニット７１においては、開閉体７２に対してカウンターウェイト７４が設けられていることで、空調空気の供給量や還気の取り込み量に合わせて、開閉体７２の開度が調整されるようになっている。このため、空調空気の供給量や換気の取り込み量に対して、開閉体７２の開度が小さ過ぎたり大き過ぎたりすることが抑制される。
【００６８】
なお、開閉体７２の開度が小さ過ぎる場合には、通気孔５６，６６の通気量が不足して居室３５，４１や廊下３６，４２の空調効率が低下することが懸念される。また、開閉体７２の開度が大き過ぎる場合には、居室３５，４１と廊下３６，４２とで空調の効果が同程度になってしまう。例えば、冬季において、開閉体７２の開度が適正に保たれていれば、居室３５，４１に供給された暖気が廊下３６，４２に流出し過ぎず、居室３５，４１を廊下３６，４２よりも優先して温めることができる。これに対して、開閉体７２の開度が大き過ぎると、居室３５，４１の暖気が通気孔５６，６６を通じて廊下３６，４２に流出し過ぎてしまい、居室３５，４１の暖房効率が低下してしまう。
【００６９】
次に、一階部分１４に設置された通気ユニット７１に関して説明する。図１、図４に示すように、第１通気孔５６は、第１壁部３２ａにおいて第１出入口３８と天井部１４ａとの間に設けられている。この場合、通気ユニット７１は、天井部１４ａや第１壁部３２ａ、第１枠体３９ａに固定された状態で第１通気孔５６に対して設けられており、第１枠体３９ａに上下に並ぶ位置に配置されている。なお、一階部分１４においては、第１壁部３２ａが第１仕切部に相当し、第１通気孔５６が第１通気部に相当する。
【００７０】
ここで、一階廊下３６には、天井部１４ａにダウンライト等の照明器具９１が取り付けられている。照明器具９１は、第１出入口３８に上下に並ぶ位置に配置されている。この場合、第１通気孔５６と照明器具９１とは第１通気孔５６の通気方向に並んでおり、照明器具９１の光が第１通気孔５６を通じて一階居室３５内に射し込むことが懸念される。
【００７１】
これに対して、全館空調システムによる一階部分１４の空調が行われていない場合など、開閉体７２が閉状態に保持されている場合には、照明器具９１の光が開閉体７２により遮断される。このため、例えば就寝時間帯において、住人がトイレ等に行くために照明器具９１を点灯させた場合でも、一階居室３５で寝ている住人の睡眠が照明器具９１の光により妨げられるということを抑制できる。
【００７２】
第１通気孔５６に対して設けられた通気ユニット７１においては、開閉体７２の開放角度が所定値よりも大きくなることが規制されている。この通気ユニット７１は、開閉体７２の開放角度を制限する開度制限部を有している。開度制限部は、通気枠体７５の縦枠部８１から枠内側に向けて突出した突起部であり、開閉体７２は、その開放角度が所定値に達した場合に開度制限部に引っ掛かるようになっている。開度制限部は、開閉体７２の開放範囲を、照明器具９１から第１通気孔５６への光を遮る範囲に制限するものである。例えば、開閉体７２の開度が、照明器具９１から第１通気孔５６に向けて進む光を遮ることができない程に大きくなった場合、照明器具９１の光が第１通気孔５６を通じて一階居室３５に射し込んでしまう。
【００７３】
なお、開度制限部は、開閉体７２や回動軸部７３に設けられていてもよい。例えば、開度制限部が開閉体７２に設けられた場合、その開度制限部は、通気枠体７５の縦枠部８１に引っ掛かることで、開閉体７２の開放角度を所定値に制限することが可能になっている。
【００７４】
また、通気ユニット７１においては、全館空調システムによる一階居室３５への給気量及び一階廊下３６からの還気量では、開度制限部が設けられていなくても開閉体７２の開放角度が所定値よりも大きくならないように、カウンターウェイト７４の重量及び大きさが設定されている。
【００７５】
続いて、二階部分１５に設置された通気ユニット７１に関して説明する。図１、図５に示すように、第２通気孔６６は第２開き戸４５の下部に設けられている。第２通気孔６６は、第２開き戸４５の幅方向の中央位置において、ドアノブ等の取っ手よりも低い位置に配置されている。この場合、通気ユニット７１は、第２開き戸４５に固定された状態で第２通気孔６６に対して設けられている。なお、二階部分１５においては、第２開き戸４５が第２仕切部に相当し、第２通気孔６６が第２通気部に相当する。
【００７６】
ここで、第２通気孔６６が床部１５ｂに近い位置に配置されている構成では、二階廊下４２の床面上に溜まった埃等が第２通気孔６６を通じて二階居室４１内に侵入することが懸念される。これに対して、全館空調システムによる二階部分１５の空調が行われていない場合など、開閉体７２が閉状態に保持されている場合には、仮に二階廊下４２の床面の上に埃等が溜まっていたとしても、その埃等が第２通気孔６６を通じて二階居室４１に侵入することを抑制できる。
【００７７】
以上詳述した本実施形態によれば、以下の優れた効果が得られる。
【００７８】
居室３５，４１への空調空気の供給及び廊下３６，４２からの還気の取り込みが行われている場合には、居室３５，４１からの風圧により開閉体７２が開放されるため、通気孔５６，６６の通気が行われることで居室３５，４１及び廊下３６，４２の空調をまとめて行うことができる。また、空調空気の供給及び還気の取り込みが停止された場合には、居室３５，４１からの風圧がなくなることで開閉体７２が閉鎖されるため、廊下３６，４２から通気孔５６，６６を通じて居室３５，４１に埃や匂い、音などが入り込むことを抑制できる。これにより、居室３５，４１の環境を好適に保つことができる。
【００７９】
開閉体７２は、その自重により閉状態にて保持されているため、廊下３６，４２に対する居室３５，４１の相対的な圧力に応じて開閉体７２の開度が調整される構成を実現できる。
【００８０】
開閉体７２は、閉状態にある場合に、廊下３６，４２側から回動規制部８６に重なっているため、仮に廊下３６，４２が居室３５，４１に対して正圧になっていたとしても、開閉体７２と回動規制部８６との間の隙間を通じて廊下３６，４２から居室３５，４１に空気が流れ込むということを抑制できる。また、閉状態にある開閉体７２は、回動規制部８６の緩衝部材８６ａに重なるようになっているため、開閉体７２が回動規制部８６に接触した際に衝撃音が発生することを抑制できる。
【００８１】
全館空調システムによる空調が停止されている場合、通気孔５６，６６のそれぞれが開閉体７２により閉鎖されているため、廊下３６，４２の空気が通気孔５６，６６から居室３５，４１に流れ込んで居室３５，４１の温度や湿度が廊下３６，４２の温度や湿度に近付くということが生じにくくなっている。この場合、居室３５，４１と廊下３６，４２との温度差が保持されることで、居室３５，４１の空調効果を維持しやすくなっている。
【００８２】
一階居室３５においては、第１通気孔５６が天井付近に配置されているため、開閉体７２が閉状態にある場合に、一階廊下３６の天井付きの照明器具９１の光が第１通気孔５６を通じて侵入してくることを抑制できる。これにより、一階居室３５の光環境を好適に保つことができる。
【００８３】
二階居室４１においては、第２通気孔６６が床付近に配置されているため、開閉体７２が閉状態にある場合に、仮に二階廊下４２の床面に埃等が溜まっていたとしても、その埃等が第２通気孔６６を通じて侵入してくることを抑制できる。これにより、二階居室４１の空気環境を好適に保つことができる。
【００８４】
［他の実施形態］
本発明は上記実施形態の記載内容に限定されず、例えば次のように実施されてもよい。
【００８５】
（１）上記実施形態では、通気孔５６，６６に対して１つの開閉体７２が設けられていたが、通気孔５６，６６に対しては複数の開閉体７２が設けられていてもよい。例えば、回動軸部７３に沿って複数の開閉体７２が横並びに配置された構成や、複数の開閉体７２が上下に並べられた構成が挙げられる。
【００８６】
（２）上記実施形態では、開閉体７２とカウンターウェイト７４とが回動軸部７３により一体化されていたが、開閉体７２の一部によりカウンターウェイト７４が形成されていてもよい。例えば、開閉体７２の上端部ではなく中間位置に回動軸部７３が設けられ、この開閉体７２において、回動軸部７３よりも上方に突出した部分がカウンターウェイト７４とされた構成とする。この構成では、開閉体７２の高さ方向において回動軸部７３の位置を変更することで、開閉体７２の開放しやすさを調整することが可能になる。このため、回動軸部７３の位置を設定するという容易な作業により、居室３５，４１や廊下３６，４２の空調効率が最も高くなるように開閉体７２の開度を調整することできる。
【００８７】
（３）上記実施形態では、開閉体７２に対してカウンターウェイト７４が設けられていたが、居室３５，４１と廊下３６，４２との圧力差に応じて開閉体７２の開度が調整される構成であれば、カウンターウェイト７４は設けられていなくてもよい。この構成としては、開閉体７２を閉状態に保持する向きで付勢力を付与する付勢部材が設けられた構成や、開閉体７２がある程度の重量を有していることでその開閉体７２の開度が過剰に大きくなることを抑制した構成、回動軸部７３が通気枠体７５に対して回動しにくくされた構成などが挙げられる。
【００８８】
（４）上記実施形態では、開閉体７２の下端部が回動先端部とされていたが、開閉体７２においては、その上端部や側端部が回動先端部とされていてもよい。例えば、開閉体７２が回動軸部７３から上方に向けて延びた構成とする。この構成では、カウンターウェイト７４が開閉体７２より大きな重量を有しており、このカウンターウェイト７４は、回動軸部７３を挟んで開閉体７２の下側に配置されている。
【００８９】
また、回動軸部７３が上下方向に延び、開閉体７２が回動軸部７３から側方に向けて延びた構成としてもよい。この構成では、バネ等の付勢部材の付勢力により開閉体７２が閉状態にて保持され、居室３５，４１の空気が付勢部材の付勢力に抗して開閉体７２を押すことで、その開閉体７２が開状態に移行することが可能になっている。
【００９０】
（５）上記実施形態では、開閉体７２が空気に押されることで開放するようになっていたが、開閉体７２は、モータ等の駆動部により強制的に開放されるようになっていてもよい。例えば、駆動部に回動軸部７３が接続された構成とする。この構成では、給気部５２，６２から空調空気が供給され、且つ還気部５４，６４から還気が取り込まれている場合に、駆動部が開閉体７２を開状態に移行させ、空調空気の供給及び還気の取り込みが停止された場合に、開閉体７２を閉状態に移行させる。この場合でも、居室３５，４１が廊下３６，４２に対して正圧になっている場合に開閉体７２が開状態に移行し、居室３５，４１が廊下３６，４２に対して正圧になっていない場合に開閉体７２が開状態に移行しないことになる。
【００９１】
（６）上記実施形態では、回動規制部８６が通気枠体７５に設けられていたが、回動規制部８６は、回動軸部７３や開閉体７２に設けられていてもよい。例えば、開閉体７２の幅方向において、開閉体７２から側方に突出した突起部が回動規制部８６として設けられた構成とする。この構成では、回動規制部８６が通気枠体７５の縦枠部８１に廊下３６，４２側から引っ掛かることで、開閉体７２が居室３５，４１側に開くことが形成される。
【００９２】
（７）上記実施形態では、開閉体７２が居室３５，４１側に開くことが回動規制部８６により規制されていたが、開閉体７２が居室３５，４１側に開くことは、ゴム等の付勢部材や壁部３２ａ，３２ｂそのものにより規制されていてもよい。例えば、開閉体７２が通気孔５６，６６からはみ出す大きさを有しており、そのはみ出した部分が壁部３２ａ，３２ｂや通気枠体７５に引っ掛かることで、開閉体７２が居室３５，４１側に開かない構成とする。
【００９３】
（８）上記実施形態では、一階部分１４において、第１通気孔５６が第１出入口３８の上側に配置されていたが、第１通気孔５６は、第１出入口３８に上下に重ならない位置に配置されていてもよい。また、第１通気孔５６は、第１壁部３２ａではなく、第１開き戸３９に設けられていてもよい。この場合でも、第１通気孔５６は、一階居室３５と一階廊下３６とを仕切る仕切部に設けられていることになる。
【００９４】
また、二階部分１５において、第２通気孔６６が第２開き戸４５に設けられていたが、第２通気孔６６は、第２壁部３２ｂに設けられていてもよい。この場合、第２通気孔６６は、第２出入口４４に上下に並ぶ位置に配置されていてもよく、第２出入口４４とは上下に重ならない位置に配置されていてもよい。いずれの場合でも、第２通気孔６６は、二階居室４１と二階廊下４２とを仕切る仕切部に設けられていることになる。
【００９５】
（９）上記実施形態では、居室３５，４１において、給気部５２，６２及び通気孔５６，６６のうち一方が天井側に配置され、他方が床側に配置されていたが、両方が天井側や床側に配置されていてもよい。例えば、一階居室３５において、一階給気部５２が床部１４ｂに設けられた構成において、第１通気孔５６が第１壁部３２ａの下端部に配置された構成とする。同様に、廊下３６，４２についても、還気部５４，６４及び通気孔５６，６６の両方が天井側や床側に配置されていてもよい。
【００９６】
（１０）上記実施形態では、給気ダクト５３，６３や還気ダクト５５，６５が床下空間４６や屋根裏空間４７に設けられていたが、これら給気ダクト５３，６３や還気ダクト５５，６５は、階間部分４８の階間空間に設けられていてもよい。例えば、階間部分４８において、天井大梁２２や床大梁２３にダクト用の挿通孔が形成され、給気ダクト５３，６３や還気ダクト５５，６５が挿通孔に挿通された状態で敷設された構成とする。
【００９７】
また、階間部分４８に給気ダクト５３，６３や還気ダクト５５，６５が敷設された構成では、天井大梁２２や床大梁２３が階間空間を左右に仕切っていないことが好ましい。例えば、建物１０がユニット式建物ではなく、枠組壁工法により構築されたスチールハウスや、在来木造工法により構築された建物とされ、階間空間において、梁材の上側や下側に給気ダクト５３，６３や還気ダクト５５，６５が敷設された構成とする。
【００９８】
（１１）上記実施形態では、居室３５，４１や廊下３６，４２の空調に伴って開閉体７２が開状態に移行する構成としたが、居室３５，４１や廊下３６，４２の換気に伴って開閉体が開状態に移行する構成としてもよい。例えば、建物１０が、屋外から外気を取り込む外気取込部と、取り込んだ外気を居室３５，４１に供給する外気供給部と、廊下３６，４２から内気を取り込む内気取込部と、取り込んだ内気を屋外に排出する内気排出部とを備えた構成とする。この構成では、居室３５，４１への外気の供給及び廊下３６，４２からの内気の取り込みが行われることで、居室３５，４１が廊下３６，４２に対して正圧になった場合に、開閉体７２が居室３５，４１の空気に押されることで開状態に移行し、居室３５，４１から通気孔５６，６６を通じて廊下３６，４２に空気が流れ出すことになる。
【００９９】
また、建物１０においては、居室空間や非居室空間の空調が可能な空調システムと、居室空間や非居室空間の換気が可能な換気システムが組み合わされた空調換気システムが構築されていてもよい。
【符号の説明】
【０１００】
１０…建物、１４ａ…一階部分の天井部、１４ｂ…一階部分の床部、１５ａ…二階部分の天井部、３２ａ…第１仕切部としての第１壁部、３５…第１居室空間としての一階居室、３６…第１非居室空間としての一階廊下、４１…第２居室空間としての二階居室、４２…第２非居室空間としての二階廊下、４５…第２仕切部としての第２開き戸、５２…空気供給部としての一階給気部、５４…空気取込部としての一階還気部、５６…第１通気部としての第１通気孔、６２…空気供給部としての二階給気部、６４…空気取込部としての二階還気部、６６…第２通気部としての第２通気孔、７２…開閉体、７３…回動軸部、７５…通気枠体、８１…縦枠部、８３…下枠部、８６…回動規制部、８７…緩衝部材、９１…照明器具。
【図１】
0006403537.tif 000002
【図２】
0006403537.tif 000003
【図３】
0006403537.tif 000004
【図４】
0006403537.tif 000005
【図５】
0006403537.tif 000006
【図６】
0006403537.tif 000007
【図７】
0006403537.tif 000008